(57)【特許請求の範囲】
【請求項１】
棚部材、及び、これに着脱可能な面発光照明部材を含む棚板面発光システムであって、
該棚部材が、水平面である棚板面、及び下面を両主面とする棚本体と、平均水平厚みＤのダクトレールとを含み、
該棚本体が、平均水平間隔Ｗで互いに対向する照明側辺、及び壁側辺であって、該棚板面、及び該下面の端部を含む照明側辺、及び壁側辺を含み、
該ダクトレールは、該照明側辺に沿って配され、
該面発光照明部材が、発光面、及び裏面を両主面とし、その１辺として該照明側辺に対応する嵌合辺を含み、かつ、面発光パネル、及び該嵌合辺に嵌合部を含み、さらに、該裏面が該棚板面に平行に、該棚板面の上に配置され、
該面発光パネルが、発光領域を含み、かつ、該発光面の側の主面である発光面側主面、及び該裏面の側の主面である裏面側主面を両主面とする板状の部材であり、さらに、該発光領域に対応する面発光素子を備え、
該嵌合部に、該面発光素子に給電可能な、一方、及び他方の電極端子を備え、
該発光領域からの照射光が、該棚板面上に載置される照明対象物を照明可能であり、かつ、
該嵌合部の該ダクトレールへの嵌合／非嵌合により、該着脱が可能である、棚板面発光システム。
【請求項２】
前記面発光照明部材が、前記裏面を有し、かつ、前記面発光パネルとは異なる、別本体を含み、
該別本体が、その発光面の側の面が前記棚板面と平行に配置され、さらに、
前記面発光パネルの前記発光面側主面を、前記棚板面に対して０度〜４５度の範囲の角度θを有するようにできる、請求項１に記載の棚板面発光システム。
【請求項３】
前記面発光パネルが、幅に対して長さが長い長尺矩形の、前記発光領域、及び外形を有する長尺矩形の長尺パネルであり、
前記面発光素子が、一長辺を含む有機ＥＬ素子であり、
該有機ＥＬ素子の透光性陽極層への給電が、少なくとも２個以上の、該透光性陽極層を含む透光性導電膜の該一長辺側の延在部である、陽極用給電パッド部を介してのみなされ、かつ、
該有機ＥＬ素子の反射性陰極層への給電が、該反射性陰極層を含む反射性導電膜の該一長辺側の延在部が接する１個以上の陰極用給電パッド部であって、２つの該陽極用給電パッド部に挟まれた陰極用給電パッド部を介してのみなされる、請求項１、又は２に記載の棚板面発
光システム。
【請求項４】
前記面発光照明部材が、前記嵌合部の前記発光面に前記一方の電極端子を備え、かつ、
少なくとも前記一方の電極端子が、前記非嵌合の時に露出せず、かつ、前記嵌合の時に鉛直上方に突出する、請求項１〜３のいずれかに記載の棚板面発光システム。
【請求項５】
前記面発光照明部材が、前記嵌合部の前記発光面に前記他方の電極端子も備え、かつ、
前記他方の電極端子も、前記非嵌合の時に露出せず、かつ、前記嵌合の時に鉛直上方に突出する、請求項４に記載の棚板面発光システム。
【請求項６】
前記面発光照明部材全体が、前記照明側辺から照明設置幅ＷＬの範囲内に前記着脱可能であり、かつ、下記（数式１）を満たす、請求項１〜５のいずれかに記載の棚板面発光システム。
【数５】
0006584874.tif 000006
【請求項７】
前記ダクトレールの前記平均水平厚みＤが、下記（数式２）を満たす、請求項１〜６のいずれかに記載の棚板面発光システム。
【数６】
0006584874.tif 000007
【発明の詳細な説明】
【技術分野】
【０００１】
本発明は、棚板面発光システムに関し、特に、着脱可能な面発光照明部材を含む棚板面発光システムに関する。
【背景技術】
【０００２】
近年、白熱灯や蛍光灯に代わる光源として、有機ＥＬパネルに代表される面発光パネルが注目され、多くの研究がなされている。ここで、有機ＥＬパネルは、薄く且つ面状に発光する有機ＥＬタイルを、ベゼル（フレーム、枠）などの筐体で収納したものである。
【０００３】
有機ＥＬタイルは、基材となるガラス基板や透明樹脂フィルム／金属シート等の基板上に、一方又は双方が透光性を有し対向する陽極層及び陰極層と、これら電極層間に積層した有機機能層と、からなる有機ＥＬ素子を形成したもの、一般には、凹状に窪みを作った封止ガラスキャップや、この有機ＥＬ素子上に製膜した酸化、及び／又は、窒化した珪素等の無機絶縁膜、又はアクリル系絶縁膜等の有機絶縁膜などからなる封止膜で封止したものとされる。電極層間への給電により、有機ＥＬ素子の中で電気的に励起された電子と正孔が再結合し、有機ＥＬタイルは発光する。即ち、有機ＥＬタイルは、薄くて軽く面状に発光する特徴を有するデバイスである。
【０００４】
このような有機ＥＬタイルに代表され、この他、ＬＥＤを面状に並べて面発光素子としたり、ＬＥＤ及び拡散板を組み合わせて面発光素子としたりして作製されたＬＥＤタイルの如き、面発光タイルを光源として用いる際に、前記面発光素子への給電の為に、前記タイルに外部電源等を接続する為ＦＰＣ（フレキシブルプリント基板）やＲＰＣ（リジッドプリント基板）等のプリント基板（ＰＣＢ）が必要となる。
【０００５】
ところで、最近図１に示すような、棚先に配置した光源から、多くの場合斜めに、下方から上方に照らすことで、室内の明るさと無関係に少ないエネルギーで、棚板面上に載置した照明対象物をその美しさを強調しつつ照明する、本発明に係る棚板面発光システムを構築する試みが多数見受けられる。図１は、本発明に係る棚板面発光システムの一実施態様を示す概念図である。
【０００６】
また、一方、近年、装着された照明部材に対して給電可能であり、かつ、照明部材の装着位置を長手方向に沿って移動させることが可能な、照明部材支持給電部材としてダクトレールが汎用されており、商品を魅力的に見せるためのペンダントやスポット照明部材の支持給電のために商店で多用されているだけではなく、一般家庭への導入も進んでいる。このようなダクトレールは、例えばライティングレール（商標）、ライティングダク、給電ダクト、スライドコンセント等とも称されており、ＪＩＳ  Ｃ８３６６にて規格化されており、プラグタイプと称されるライティングダクトの規格に合致した直接取り付け可能な照明部材のほかに、ライティングダクト用の引っ掛けシーリング（ペンダント照明部材等を吊るして点灯させるための器具）や、コンセントプラグ部材などが装着可能である。
【０００７】
例えば、特許文献１は、プラグタイプの照明部材として、ダクトレールに装着可能な直管型照明部材を開示しており、この直管型照明部材は、ダクトレールにその一部が着脱される支持部を含み、当該支持部は、着脱用突起部を戴載し、直管型照明部を支持するとともに、直管型照明部に給電する配線をその内部に埋設しており、着脱用突起部は、ダクトレールに装着されたときにダクトレールと電気的に接続するターミナルを有しており、支持部に埋設されている配線は、ターミナルと電気的に接続され、支持部の上面には板バネが形成されており、この板バネは、天井面に当接保持されて、着脱用突起部（ダクトレール）に対し回動設定された支持部を安定的に保持するようにされている。
【先行技術文献】
【特許文献】
【０００８】
【特許文献１】特開２０１４−０１７１６９号公報
【発明の概要】
【発明が解決しようとする課題】
【０００９】
前述の棚板面発光システムの構築に当たって、面発光タイル、特に、その中でも薄くて軽い有機ＥＬタイルを光源として用いることは、照明対象物を遮ることなく、特に、その存在を図１に示すように観察者に認識させることなく、また、照明部材の取り付けのために壁に造作を施すことなく、光源を支持可能であるので魅力的である。
【００１０】
また、前述の如く、室内の明るさと無関係に少ないエネルギーで棚板面上に載置した照明対象物をその美しさを強調しつつ照明するためには、一般に、棚本体の壁と当接する壁側辺が水平方向に長い、即ち、水平方向に長尺の棚本体においては、その一部に照明対象物が載置されることとなるので、その長尺長手方向に沿って、光源を移動させることが可能な、照明部材支持給電構造とすることが魅力的であり、ダクトレールを応用したシステムを提供することが、当業者に与えられた社会的な使命と考える。
【００１１】
さらに、棚板面発光システムの実現に当たっては、光源に給電するためのコード類が照明対象物の載置の障害となったり、光源の棚板面への固定が十分でなかったりすることが想定される。従って、このような課題を整然と、そして、問題の発生を未然に防止しつつ簡便に解決することが求められる。
【００１２】
本発明は、このような技術ニーズに応えるべく為されたものであり、棚板面上に載置される照明対象物を照明可能であり、その長尺長手方向に沿って光源を移動可能であり、照明対象物を遮ることなく観察者に認識されにくい着脱可能な面発光照明部材を含む棚板面発光システムであって、照明対象物載置の障害となることなく整然と光源を固定可能な棚板面発光システムを提供するものである。
【課題を解決するための手段】
【００１３】
本発明者らは上記課題に鑑み鋭意検討した結果、特定のダクトレールを含む棚部材と、特定の面発光照明部材とを、特定の組み合わせで構成することにより、前述の課題が解決できることを見出し、本発明を完成するに至った。
【００１４】
即ち、本発明は、棚部材、及び、これに着脱可能な面発光照明部材を含む棚板面発光システムであって、
該棚部材が、水平面である棚板面、及び下面を両主面とする棚本体と、平均水平厚みＤのダクトレールとを含み、
該棚本体が、平均水平間隔Ｗで互いに対向する照明側辺、及び壁側辺であって、該棚板面、及び該下面の端部を含む照明側辺、及び壁側辺を含み、
該ダクトレールは、該照明側辺に沿って配され、
該面発光照明部材が、発光面、及び裏面を両主面とし、その１辺として該照明側辺に対
応する嵌合辺を含み、かつ、面発光パネル、及び該嵌合辺に嵌合部を含み、
該面発光照明部材が、発光面、及び裏面を両主面とし、その１辺として該照明側辺に対応する嵌合辺を含み、かつ、面発光パネル、及び該嵌合辺に嵌合部を含み、さらに、該裏面が該棚板面に平行に、該棚板面の上に配置され、
該面発光パネルが、発光領域を含み、かつ、該発光面の側の主面である発光面側主面、及び該裏面の側の主面である裏面側主面を両主面とする板状の部材であり、さらに、該発光領域に対応する面発光素子を備え、
該嵌合部に、該面発光素子に給電可能な、一方、及び他方の電極端子を備え、
該発光領域からの照射光が、該棚板面上に載置される照明対象物を照明可能であり、かつ、
該嵌合部の該ダクトレールへの嵌合／非嵌合により、該着脱が可能である、棚板面発光システムに関する。本発明において、前記面発光パネルは、好ましくは、有機ＥＬパネルである。このように、本発明の棚板面発光システムは、特定のダクトレールを含む棚部材と、特定の面発光照明部材とを、特定の組み合わせで構成したシステムなので、棚板面上に載置される照明対象物を照明可能であり、その長尺長手方向に沿って光源を移動可能であり、照明対象物を遮ることなく観察者に認識されにくい着脱可能な面発光照明部材を含み、さらに、照明対象物載置の障害となることなく整然と光源を固定可能な棚板面発光システムを提供する事ができる。
前記面発光照明部材は、前記裏面を有し、かつ、前記面発光パネルとは異なる、別本体を含み、
該別本体は、その発光面の側の面が前記棚板面と平行に配置され、さらに、
前記面発光パネルの前記発光面側主面を、前記棚板面に対して０度〜４５度の範囲の角度θを有するようにできることが好ましい。
【００１５】
また、前記面発光パネルは、幅に対して長さが長い長尺矩形の、前記発光領域、及び外形を有する長尺矩形の長尺パネルであることが好ましく、照明対象物を載置するための領域を十分に確保しつつこれを照明可能であり、この場合に、
前記面発光素子は、一長辺を含む有機ＥＬ素子として、
該有機ＥＬ素子の透光性陽極層への給電が、少なくとも２個以上の、該透光性陽極層を含む透光性導電膜の該一長辺側の延在部である、陽極用給電パッド部を介してのみなされ、かつ、
該有機ＥＬ素子の反射性陰極層への給電が、該反射性陰極層を含む反射性導電膜の該一長辺側の延在部が接する１個以上の陰極用給電パッド部であって、２つの該陽極用給電パッド部に挟まれた陰極用給電パッド部を介してのみなされるようにすることが好ましく、十分な発光領域が確保され、その長さに対して幅が狭い長尺パネルを提供することで、前述の照明対象物の載置領域確保性をより向上せしめることができる。
【００１６】
また、前記面発光照明部材は、前記嵌合部の前記発光面に前記一方の電極端子を備え、かつ、
少なくとも前記一方の電極端子が、前記非嵌合の時に露出せず、かつ、前記嵌合の時に鉛直上方に突出するようにすることが好ましく、感電の虞が無くなると共に、非嵌合時に電極端子を保護でき、嵌合時にダクトレールの後述する側導体に導通し、さらには、後述の如く、水分付着防止の為の防水保護された側導体に対しても良好な通電が可能となる。
【００１７】
また、前記面発光照明部材が、前記嵌合部の前記発光面に前記他方の電極端子も備え、かつ、
前記他方の電極端子も、前記非嵌合の時に露出せず、かつ、前記嵌合の時に鉛直上方に突出するようにすることが好ましく、感電の虞が完全に無くなると共に、非嵌合時に両方の電極端子を保護でき、嵌合時に両方の電極端子がダクトレールの後述する側導体に導通し、さらには、前述の防水保護側導体に対する通電性が良好なると同時に、長時間棚板面上及びダクトレールに水が滞留したとしても漏電の虞を極小化することができる。
【００１８】
また、前記面発光照明部材全体が、前記照明側辺から照明設置幅ＷＬの範囲内に前記着脱可能であり、かつ、下記（数式１）を満たすが好ましく、上述の照明対象物載置領域の確保性をより確実なものとすることができる。
【００１９】
【数１】
0006584874.tif 000002
【００２０】
また、前記ダクトレールの前記平均水平厚みＤが、下記（数式２）を満たすことが好ましく、上述の面発光照明部材やダクトレールの存在非認識性をより向上させることができると共に、前述の発光領域確保性をより向上せしめることができる。
【００２１】
【数２】
0006584874.tif 000003
【００２２】
さらに、本発明は、発光面、及び裏面を両主面とし、その１辺として嵌合辺を含み、かつ、面発光パネル、及び該嵌合辺に嵌合部を含む面発光照明部材であって、
該面発光パネルが、発光領域を含む発光面側主面、及び裏面側主面を両主面とする板状の部材であり、かつ、該発光領域に対応する面発光素子を備え、
該嵌合部が、ダクトレールへの嵌合／非嵌合が可能であり、
該嵌合部が、該面発光素子に給電可能な、該一方の電極端子、及び、他方の電極端子を備え、かつ、
少なくとも該一方の電極端子が、該嵌合部の該発光面側主面側に配され、該非嵌合の時に露出せず、かつ、該嵌合の時に鉛直上方に突出する、面発光照明部材に関する。このように、本発明の面発光照明部材は、ダクトレールに嵌合／非嵌合が可能な特定の面発光照明部材なので、本発明の棚板面発光システム等に好適に使用可能であり、ダクトレールの長尺長手方向に沿って光源を移動可能であり、感電の虞が無くなると共に、非嵌合時に電極端子を保護でき、嵌合時にダクトレールの後述する側導体に導通し、さらには、後述の如く、水分付着防止の為の防水保護された側導体に対しても良好な通電が可能となる。
【００２３】
また、前記発光領域は、幅に対して長さが長い長尺矩形であることが、前述の発光領域確保性の観点から好ましく、前記面発光素子が、一長辺を含む有機ＥＬ素子であることが好ましく、その場合には、
該有機ＥＬ素子の透光性陽極層への給電が、少なくとも２個以上の、該透光性陽極層を含む透光性導電膜の該一長辺側の延在部である、陽極用給電パッド部を介してのみなされ、かつ、
該有機ＥＬ素子の反射性陰極層への給電が、該反射性陰極層を含む反射性導電膜の該一長辺側の延在部が接する１個以上の陰極用給電パッド部であって、２つの該陽極用給電パッド部に挟まれた陰極用給電パッド部を介してのみなされるようにすることが好ましく、十分な発光領域が確保され、その長さに対して幅が狭い長尺パネルを提供することで、前述の照明対象物の載置領域確保性をより向上せしめることができる。
【発明の効果】
【００２４】
本発明の棚板面発光システムは、棚板面上に載置される照明対象物を照明可能であり、その長尺長手方向に沿って光源を移動可能であり、照明対象物を遮ることなく観察者に認識されにくい着脱可能な面発光照明部材を含み、さらに、照明対象物載置の障害となることなく整然と光源を固定可能な棚板面発光システムである。
【００２５】
また、本発明の面発光照明部材は、本発明の棚板面発光システム等に好適に使用可能であり、ダクトレールの長尺長手方向に沿って光源を移動可能であり、感電の虞が無くなると共に、非嵌合時に電極端子を保護でき、嵌合時にダクトレールの後述する側導体に導通し、さらには、後述の如く、水分付着防止の為の防水保護された側導体に対しても良好な通電が可能であり、整然と固定可能である。
【図面の簡単な説明】
【００２６】
【図１】本発明に係る棚板面発光システムの一実施態様を示す概念図である。
【図２】本発明の棚板面発光システム１００の一実施形態の断面概念図である。
【図３】本発明に係るダクトレール４２の一実施形態を示す断面図である。
【図４】本発明に係るダクトレール４２の別の実施形態を示す断面図である。
【図５】本発明に係る面発光パネル６０の一実施形態を示す断面図である。
【図６】本発明に係る有機ＥＬパネル６０の一実施形態における、透光性導電膜７、有機機能膜８、及び反射性導電膜９の各々のパターンの形状、及び相互の位置関係を示す概念透視図である。
【図７】図６おける透光性導電膜７を抜き出して示した平面図である。
【図８】図６おける有機機能膜８を抜き出して示した平面図である。
【図９】図６おける反射性導電膜９を抜き出して示した平面図である。
【図１０】本発明に係る嵌合部４の一実施形態を示す非嵌合時の断面図（a）、及び図３のダクトレール４２への嵌合時の断面図（b）である。
【発明を実施するための形態】
【００２７】
以下、本発明の実施形態について図を参照しながら説明する。
【００２８】
（棚板面発光システム１００）
図２は、本発明の棚板面発光システム１００の一実施形態の断面概念図である。
【００２９】
本発明の棚板面発光システム１００は、棚部材４０、及びこれに着脱可能な面発光照明部材１０を含み、棚部材４０に含まれる棚本体４１上面の棚板面上に載置される照明対象物を、面発光照明部材１０に含まれる面発光パネル６０の発光領域２からの照射光が、照明可能である。
【００３０】
本発明の棚板面発光システム１００は、棚部材４０が、面発光照明部材１０に給電し、かつ、これを固定するダクトレール４２を含み、かつ、面発光照明部材１０が、当該ダクトレール４２に嵌合／非嵌合可能な嵌合部４を含むことを一つの特徴とする。即ち、面発光照明部材１０は、棚部材４０に、嵌合部４のダクトレール４２への嵌合／非嵌合により着脱可能である。
【００３１】
前記棚本体４１が、その両端の辺として、互いに対向する照明側辺、及び壁側辺を含み、これらの平均水平間隔をＷとした時に、本発明に係る照明対象物載置領域確保性の観点から、面発光照明部材１０全体が、照明側辺から照明設置幅ＷＬであって、下記（数式１）を満たす照明設置幅ＷＬの範囲内にあることが好ましい。
【００３２】
【数３】
0006584874.tif 000004
【００３３】
（棚部材４０）
本発明に係る棚部材４０は、棚本体４１、及び平均水平厚みＤのダクトレール４２を含み、例えば、前記壁側辺を壁に取り付けること等により、棚本体４１を建物に固定していられる。
【００３４】
前記棚本体４１は、水平面である棚板面、及び下面を両主面とし、好ましくは板状の部
材であり、前記棚板面、及び前記下面の端部を含む、平均水平間隔Ｗで互いに対向する照明側辺、及び壁側辺を含み、その棚板面に本発明に係る照明対象物を載置する機能を有し、その照明側辺には、本発明に係るダクトレール４２が固定される。
【００３５】
前記ダクトレール４２は、その前記照明側辺から前記壁側辺に向かう水平方向の平均水平厚みがＤであり、前記棚本体４１の前記照明側辺に沿って固定され配され、本発明に係る、ダクトレール存在非認識性、及び発光領域確保性の観点から、前記Ｄは、前記ＷＬに対して、下記（数式２）を満たすことが好ましい。
【００３６】
【数４】
0006584874.tif 000005
【００３７】
（ダクトレール４２）
図３は、本発明に係るダクトレール４２の一実施形態を示す断面図である。
【００３８】
本発明に係るダクトレール４２は、図３に示すように、少なくとも、上面板４２３、下面板４２４を含み、これらの間に間隙を有する細長い部材であり、この間隙の内側となる上面板４２３、及び／又は、下面板４２４に、少なくとも２本のレール４２２と、少なくとも２本の線状導体（導電性部材）４２１が固定されており、好ましくは、さらに、側面板４２５を含む。
【００３９】
前記レール４２２は、長手方向に連続して前記間隙の内側に向かって開口する凹部を有し、当該凹部の内部に前記線状導体（導電性部材）４２１が固定されている。
【００４０】
図３のダクトレール４２では、上面板４２３に、１本の線状導体４２１が固定された１本のレール４２２が２組、並んで、かつ、前記凹部が下向きとなるように固定されている。
【００４１】
図４は、本発明に係るダクトレール４２の別の実施形態を示す断面図であり、図４のダクトレール４２では、上面板４２３、及び下面板４２４の各々に、前記凹部が対向するように、１本の線状導体４２１が固定された１本のレール４２２が固定されている。
【００４２】
（面発光照明部材１０）
本発明に係る面発光照明部材１０は、発光面(図２において上側の面)、及び裏面（図２において下側の面であって、図２では、前記棚板面に接している。）を両主面とし、その１辺として前記照明側辺に対応する嵌合辺を含み、面発光パネル６０、及び前記嵌合辺に嵌合部４を含み、前記棚部材４０に装着された状態において、その発光領域２からの照射光が、棚板面上に載置される照明対象物を照明する機能を有する。
【００４３】
本発明に係る面発光照明部材１０は、面発光パネル６０自体を本体として、その発光領域２を含み、かつ、発光面の側の主面である発光面側主面を棚板面と平行に配置し、その裏面の側の主面である裏面側主面を、前記棚板面に、例えば接するよう、平行に配置しても良いが、面発光パネル６０とは異なる別本体であって、その発光面の側の面が棚板面と平行、その裏面の側の面が前記棚板面に、例えば接する、平行な別本体を含むようにすることが好ましく、面発光パネル６０の発光面側主面を、棚板面に対してθの角度を有するようにできるので、照明対象物への光照射の効率を高めることができる。角度θは、０度〜４５度の範囲で可変であることが好ましく、より好ましくは、可変かつその角度で維持可能であることであり、照明対象物の高さやその照明演出に合わせて、光照射効率や照明効果を向上できる。
【００４４】
本発明に係る面発光照明部材１０は、上述した面発光パネル６０、及び嵌合部４以外にも、面発光パネル６０を構成し、面発光タイルの筐体として機能するベゼルや、プリント基板（ＰＣＢ）６２、配線部材６１等を含むことができる。
【００４５】
以下、本発明に係る面発光照明部材１０について、上述した各構成部材の詳細について説明しつつ、その製造方法についても説明する。
【００４６】
（面発光パネル６０）
図５は、本発明に係る面発光パネル６０の一実施形態を示す断面図であり、後述する図６のＸ−Ｘ‘直線における断面図である。
【００４７】
本発明に係る面発光パネル６０は、発光領域２を含み、かつ、前記発光面の側の主面である発光面側主面、及び前記裏面の側の主面である裏面側主面を両主面とする板状の部材であり、発光領域２に対応する面発光素子１を備える。
【００４８】
前記面発光素子１は、好ましくは有機ＥＬ素子１であり、より好ましくは、一長辺３を含む長尺の発光領域２を備える長尺有機ＥＬ素子１である。
【００４９】
本発明に係る面発光パネル６０は、好ましくは、幅に対して長さが長い長尺矩形の、発光領域２、及び外形を有する長尺矩形の長尺面発光パネル６０である。
【００５０】
前記裏面側主面は、前記面発光素子１への給電の電気接続を容易ならしめるために、後述する封止がなされていない電極用給電パッド領域５５を含むことが好ましく、また、前記面発光素子１への水分等の浸入を防止することで長寿命かつ高信頼性を確保する観点から、平面視、少なくとも前記発光領域２を含む領域に亘って連続する後述する封止がなされた封止領域５０を含むことが好ましい。
【００５１】
ここで、上述したように、好ましい実施態様である長尺面発光パネル６０とする場合には、その両長辺のうちの片側である一長辺３側にのみ前記電極用給電パッド領域５５を設けることが好ましく、こうすることで、上述の如く、平面視前記発光領域２含む封止領域５０は、前記両長辺のうちのもう一方の片側である他長辺側に偏在することとなるが、前記発光領域２が長尺であるため、輝度分布が生じない給電を維持しつつ、コンパクト、かつ、高面積効率の面発光パネル６０が実現できる。
【００５２】
また、前記電極用給電パッド領域５５は、本発明に係る面発光照明部材１０内における給電配線簡略化の観点から、前記別本体を含む場合には、前記嵌合辺の反対側の辺に存在することが好ましく、前記別本体を含まない場合には、前記嵌合辺側に存在することが好ましい。
【００５３】
さらに、このような面発光パネル６０には、輝度や色、角度依存の光学特性や、照明対象物に対する配光性の向上ために、前記発光面側主面側の少なくとも前記発光領域２を含む領域の最表面、即ち、例えば、前記ガラス基板５の光射出側に光学機能体を備えることが好ましい。
【００５４】
この光学機能体としては、レンズやプリズムを含む、例えば、レンズシート、プリズムシート、又はレンチキュラーレンズシート等を例示することができ、ガラス表面にアクリル等からなる樹脂を塗ってナノインプリントしたものやガラスビーズを含んだ樹脂をスプレーコートやスリットコートしたものとすることもできる。好ましくは、一表面に凹凸構造をもち、他表面に粘着材が付いた樹脂フィルム（光学フィルム）を、その一表面が前記最表面となるようにガラス表面に貼ることであり、の光学フィルムに、光散乱性を付与することもできる。さらに、この光学フィルムの貼り付けは、フィルム表面にキズが付き易いため、場合に応じて、面発光パネル６０の組み立て後でもよいし、前でもよく、本発明に係る面発光照明部材１０へのパネル６０の取り付け後でもよい。
【００５５】
このような本発明に係る面発光パネル６０の内の、簡単安価な内部配線で柔らかい面発光を単一の発光デバイスで実現できることから好ましい実施態様である、有機ＥＬパネル６０について詳述すると以下の通りである。
【００５６】
まず、本発明に係る有機ＥＬパネル６０は、面積効率を高める観点等から、パネル外部から直接給電される等電位電極層が、対向する透光性陽極層７１、及び反射性陰極層９１の１組のみであるデバイスのみを含む有機ＥＬ素子１であることが好ましい。
【００５７】
このような有機ＥＬ素子１は、例えば、透明性および封止性の観点から好ましい基材であり、かつ、面発光素子１に対して前記発光面側主面側に位置することとなるガラス基板５上に、所定の形状で、透光性導電膜７、有機化合物を含有する発光層を含み、かつ、複数の薄膜が積層されたものである有機機能膜８、及び反射性導電膜９を製膜することで、これらの膜の重畳部分として形成されたデバイスである。好ましくは、このようにして形成した有機ＥＬ素子１は封止膜により封止される。
【００５８】
（有機ＥＬパネル６０）
本発明に係る有機ＥＬパネル６０は、有機ＥＬ素子１に含まれる透光性陽極層７１以外に、透光性導電膜７が、陰極用給電パッド部７３を含むことを一つの特徴としている。
【００５９】
図６は、本発明に係る有機ＥＬパネル６０の一実施形態における、透光性導電膜７、有機機能膜８、及び反射性導電膜９の各々のパターンの形状、及び相互の位置関係を示す概念透視図である。図６において、前記一長辺３側は、矢印で示すように下側であり、また、図６には、陰極用給電パッド部７３も示されている。
【００６０】
（有機ＥＬ素子１）
本発明に係る有機ＥＬ素子１は、本発明に係る発光領域２から光を放射可能とするための素子であり、前述したように発光領域２は、幅に対して長さが長い長尺の領域であることが好ましく、この場合、この発光領域２に対応する有機Ｌ素子１は、前記長尺方向に平行な、一長辺３、及びこの一長辺３と発光領域２を挟んで対向する他長辺を含むこととなる。
【００６１】
このような本発明に係る有機ＥＬ素子１は、本発明に係る透光導電性陽極層７１、有機機能層８1、及び反射性陰極層９1を含み、この透光導電性陽極層７１、及び反射性陰極層９1に印加される電圧に応じて、これらの重畳部分に挟持された有機機能層８1に電流が流れることで発光する。
【００６２】
（透光性導電膜７）
図７は、図６おける透光性導電膜７を抜き出して示した平面図であり、透光性導電膜７に含まれる、透光導電性陽極層７１、陽極用給電パッド部７２、及び陰極用給電パッド部７３が示されている。
【００６３】
前記透光性導電膜７は、好ましくはガラス基板５上に形成された透光導電性金属酸化物（ＴＣＯ）を含む層であり、図７に示すように、透光導電性陽極層７１の一長辺３側の延在部として、好ましくは少なくとも２個以上、より好ましくは３個以上の陽極用給電パッド部７２を含む。また、好ましくは、本発明に係る一長辺３側において、両端に存在する給電パッド部は陽極用給電パッド部７２である。
【００６４】
前記透光性導電膜７の材料としては、透光性であれば、アルミニウムやクロム等の金属薄膜であってもよいが、ＴＣＯであることが好ましく、より好ましくは、ガラス基板１１に直接形成されたＴＣＯとすることである。このようなＴＣＯは、ガラスとの密着力が強く、薄膜であっても信頼性の高い膜であり、かつ、ウェットエッチングやレーザー加工によるパターニングが容易である。
【００６５】
また、図７に示すように、陰極用給電パッド部７３は、前記透光導電性陽極層７１と絶縁された、透光導電性アイランド層であり、後述する反射性導電膜９の一長辺３側の延在層９３が接し、かつ、２つの陽極用給電パッド部７２に挟まれた層であり、１個以上、好ましくは２個以上存在する。即ち、図７の実施形態では、一長辺３側に３つの陽極用給電パッド部７２があり、その陽極用給電パッド７２に挟まれた２つの陰極用給電パッド部７３があり、これらのパッド部を介してのみ透光性陽極層７１および反射性陰極層９１は給電されるが、これらのパッドの数は長尺の大きさや長さによって適宜決めればよいが、高性能の長尺有機ＥＬパネル６０とする観点からは、少なくとも２以上の陽極用給電パッド部７２を介してのみ透光性陽極層７１に給電され、１以上の陰極用給電パッド部であって２つの陽極用給電パッド部７１に挟まれた陰極用給電パッド部７３を介してのみ反射性陰極層９１に給電されることが好ましい。
【００６６】
本発明に係る透光性陽極層７１は、本発明に係る有機ＥＬ素子１の構成要素であり、前記有機機能層８1に外部から電流を流す機能を有し、好ましくは、前記反射性陰極層９１に対してプラスの電位が印加される。
【００６７】
本発明に係る陽極用給電パッド部７２は、前記透光性陽極層７１から本発明に係る一長辺３側に、前記透光性導電膜７が延在した領域であり、本発明に係る透光性陽極層７１へ外部から電流を中継して流す機能を有する。
【００６８】
本発明に係る陰極用給電パッド部７３は、本発明に係る反射性陰極層９１から外部に電流を中継して流す機能を有し、好ましくは、前記透光性陽極層７１に対してマイナスの電位が印加される。
【００６９】
（有機機能膜８）
図８は、図６おける有機機能膜８を抜き出して示した平面図であり、有機機能膜８に含まれる、有機機能層８１であって、本発明の発光領域２となる領域が示されている。
【００７０】
前記有機機能膜８は、有機化合物を主成分とする膜であり、発光層を含む複数の薄膜が積層されたものである。前記有機機能膜８に含まれる材料としては、一般的な有機ＥＬ素子に用いられている低分子系色素材料や、共役系高分子材料等の公知の材料を挙げることができ、有機化合物のポリマーやオリゴマーを塗布形成したものを用いることもできる。
【００７１】
前記有機機能膜８は、好ましくは、前記各層をいずれも真空蒸着法によって成膜したものであり、高性能の有機ＥＬ素子１とすることができる。また、前記有機機能膜８は、正孔注入層、正孔輸送層、発光層、電子輸送層、電子注入層などを含む。これら各層は、真空蒸着法やスパッタ法、ＣＶＤ法、ディッピング法、ロールコート法（印刷法）、スピンコート法、バーコート法、スプレー法、ダイコート法、フローコート法など適宜公知の方法を併用して形成することも可能である。
【００７２】
前記有機機能膜８は、平面視、図５に示すように少なくとも本発明に係る発光領域２の全領域を含む領域に形成されていることを要し、図６に示すように、本発明に係る一長辺３側において、本発明に係る陽極用給電パッド部７２においてはこれより内側に、それ以外の陰極用給電パッド部７３に対応する部分ではこれより外側に、より好ましくは一部前記ガラス基板５に直接接するように、形成されていることが好ましく、さらに好ましくは、各辺に凹凸を含まない完全な長方形に形成されていることである。
【００７３】
（反射性導電膜９）
図９は、図６おける反射性導電膜９を抜き出して示した平面図であり、反射性導電膜９は、反射性陰極層９１となる領域であって、本発明の発光領域２となる領域（図示せず。）、及び前述の反射性導電膜一長辺側延在層９３を含む。
【００７４】
前記反射性導電膜９は、平面視、図５に示すように少なくとも本発明に係る発光領域２の全領域を含む領域に形成されていることを要し、図６に示すように、本発明に係る一長辺３側において、本発明に係る陽極用給電パッド部７２においてはこれより内側であって、さらに、前記有機機能膜８より内側に、それ以外の陰極用給電パッド部７３に対応する部分ではこれに直接接するように形成される。
【００７５】
前記反射性導電膜９の材料としては、大きな反射率を有し輝度向上に有効なアルミニウム、又は銀が好ましく、その製膜方法としては、高純度な膜が製膜でき材料本来の物性が得易い真空蒸着法が好ましい。
【００７６】
本発明に係る反射性陰極層９１は、本発明に係る有機ＥＬ素子１の構成要素であり、前記有機機能層８1から外部へ電流を流す機能を有し、好ましくは、本発明に係る透光導電性陽極層２１に対しマイナスの電位が印加される。前記長尺有機ＥＬパネル６０においては、反射性陰極層９１への給電が、陰極用給電パッド部７３を介してのみなされることが好ましい。
【００７７】
（封止）
本発明に係る有機ＥＬ素子１は、外部からの水分の侵入を防ぐために、封止膜により封止がなされることが好ましい。また、膜封止の場合、機械的な外力によるキズを防ぐために、ＰＥＴなどからなる保護フィルムを粘着材で貼り付けることが好ましく、ＤＳの発生や、突然の発光停止を防止することができる。
【００７８】
（嵌合部４）
図１０は、本発明に係る嵌合部４の一実施形態を示す非嵌合時の断面図（a）、及び図３のダクトレール４２への嵌合時の断面図（b）である。
【００７９】
本発明に係る嵌合部４は、前記嵌合辺に配され、具体的には、図２に示すように前記別本体を含む場合には、その別本体の一部として、前記別本体を含まない場合には、本発明に係る発光領域２に隣接して、いずれにしても、本発明に係る面発光照明部材１０の構成部材の一部として、例えば、前記プリント基板６２の一部として含まれる部分である。
【００８０】
本発明に係る嵌合部４は、図１０（a）に示すように、面発光素子１に給電可能な、一方、及び他方の電極端子１１、１２であって、本発明に係る面発光素子１に、本発明に係るダクトレール４２から給電するための、２種類の電極端子を含み、少なくとも一方の電極端子１１は（好ましくは他方の電極端子１２も）、嵌合部の発光面に配されていることが好ましく、本発明に係る非嵌合の時に露出しないように保護されていることがより好ましく、本発明に係る嵌合の時に鉛直上方に突出して、本発明に係るダクトレール４２の側導体に導通するようにされていることがさらに好ましい。
【００８１】
具体的には、図１０（ａ）、（ｂ）に示す如く、非嵌合時に電極端子１１、１２が露出しないようにするスライド板１３を嵌合部４に設け、非嵌合時、当該スライド板１３が非嵌合時位置にあることにより、これと当接する電極端子１１、１２に結合した電極端子用バネ１４を縮んだ状態で保持し、嵌合するために嵌合部４をダクトレール４２に挿入する際、ダクトレール４２の例えばレール４２２の一部に押されて当該スライド板１３が嵌合時位置に移動することにより、これと結合したスライド板用バネ１５を縮んだ状態にすると共に、電極端子用バネ１４の前記縮んだ状態から開放されて伸びる力を利用して、電極端子１１、１２を鉛直上方に突出させてダクトレール４２の線状導体４２１と当接させるような機構が好ましい。
【００８２】
（配線部材６１）
前記配線部材６１は、前記有機ＥＬパネル６０に外部から給電するための部材であり、パッド部分を含み、前記有機ＥＬパネル６０の厚みを薄くする観点から、平板状の部材とすることが好ましい。具体的には、パネルの作製において、当該パッド部分に含まれる陽極パッドが陽極用給電パッド部７２に接続され、当該パッド部分に含まれる陰極パッドが陰極用給電パッド部７３に接続される。
【００８３】
ここで、前記配線部材６１は、前記陽極用給電パッド部７２、及び前記陰極用給電パッド部７３からなるパッド部が並んで存在する、本発明に係る一長辺３側に、その一長辺３とほぼ同じ長さの１個の配線部材６１が取り付けられているようにしてもよいが、配線部材とガラス基板の線膨張係数の差が大きくても、配線部材やガラス基板が反ったり、配線部材６１が外れたりしないように、２個以上の配線部材を、本発明に係る一長辺３側に、取り付けることが望ましく、より好ましくは、部品点数を減らすこと、及び、同一の取り付け工程で取り付け可能とすることで、コストや工程負荷を削減せしめる観点から、２個以上の配線部材６１を同一とすることであり、さらに好ましくは、隣接する配線部材６１が、それらの配線部材６１の間に位置する１個の前記陽極用給電パッド部７２である、中央陽極用給電パッド部のみに共通に接続されていることである。
【００８４】
また、本発明に係る配線部材６１は、前記パッド部分と、外部電源との間の導通経路として端子部分を含むことが好ましく、この端子部分は、前記陽極パッドに電気接続された陽極端子、及び前記陰極パッドに接続された陰極端子を含む。
【００８５】
前記配線部材６１としては、リード線や銅箔、アルミニウム箔を用いることもできるが、プリント基板を用いることが望ましく、フレキシブルプリント基板（ＦＰＣ）を用いることがより望ましい。ＦＰＣはポリイミドやその他の有機フィルム上に銅箔やアルミニウム箔による配線をパターニングしたものであり、薄いため、それを備えたパネルの厚みを薄くすることができ、且つ、自由に曲げることができる。
【００８６】
前記配線部材６１のパッド部分の、前記有機ＥＬパネル６０の給電パッド部７２、７３への接続には、導電性接着剤を用いることもできるが、接着強度を高めることで接続の信頼性を向上せしめる観点からは、異方性導電フィルム（ＡＣＦ）を用いて熱圧着すること望ましい。
【００８７】
（プリント基板６２）
前記プリント基板６２は、前記配線部材６１に、本発明に係るダクトレール４２を介して、外部から給電する機能を有し、本発明に係る面発光パネル６０の前記裏面側主面側、又は、前記別本体が有る場合は、これに含まれるようにして配される。
【００８８】
加えて、前記ＰＣＢ６２は、本発明に係る嵌合部４を含むことが好ましく、また、保護回路を備えていれば、多機能な面発光パネル６０であっても、故障が生じ難い面発光照明部材１０となり好ましく、さらに、調光回路を備えていれば、多機能な面発光パネル６０
となり好ましい。
【符号の説明】
【００８９】
１        面発光素子（面配置ＬＥＤ素子、有機ＥＬ素子）
１０      面発光照明部材
１１      一方の電極端子
１２      他方の電極端子
１３      スライド板
１４      電極端子用バネ
１５      スライド板用バネ
１００    棚板面発光システム
２        発光領域
３        一長辺
４        嵌合部
４０      棚部材
４１      棚本体
４２      ダクトレール
４２１    線状導体（導電性部材）
４２２    レール
４２３    上面板
４２４    下面板
４２５    側面板
５        ガラス基板
５０      封止領域
５５      電極用給電パッド領域
６０      面発光パネル（有機ＥＬパネル、長尺パネル）
６１      配線部材
６２      プリント基板（ＰＣＢ）
７        透光性導電膜
７１      透光性陽極層
７２      陽極用給電パッド部
７３      陰極用給電パッド部
８        有機機能膜
８１      有機機能層
９        反射性導電膜
９１      反射性陰極層
９３      反射性導電膜一長辺側延在層
【図１】
0006584874.tif 000008
【図２】
0006584874.tif 000009
【図３】
0006584874.tif 000010
【図４】
0006584874.tif 000011
【図５】
0006584874.tif 000012
【図６】
0006584874.tif 000013
【図７】
0006584874.tif 000014
【図８】
0006584874.tif 000015
【図９】
0006584874.tif 000016
【図１０】
0006584874.tif 000017